(57)【要約】      （修正有）【課題】身長測定時は当接部材が軽い力で上下にスライド摺動し、当接部材を容易に停止させ、身長測定を行わない場合は、当接部材の突起が邪魔にならないような身長計を提供する。【解決手段】身長計は、スライド機構を備えた目盛部材１と、目盛部材１のスライド機構に係合し上下にスライド自在に支持されるスライド部とを備えた身長計であって、該スライド部は、人の頭頂部に当接される当接部材２１と、スライド部材１１を備え、当接部材２１にはバネ性を持った突起部材を備え、該スライド部材１１は当接部材２１を垂直方向に回動自在に軸支し、当接部材２１の回動位置が、該目盛部材に対し該突起部材が干渉しない位置においては、該スライド部は目盛部材１に対し上下に摺動し、当接部材２１の回動位置が、該突起部材が目盛部材１を押圧する位置においては、該スライド部は目盛部材１に対し係止する。【選択図】図６
0003143543.tif 000002
【実用新案登録請求の範囲】
【請求項１】
スライド機構を備えた目盛部材と、目盛部材のスライド機構に係合し上下にスライド自在に支持されるスライド部とを備えた身長計であって、該スライド部は、人の頭頂部に当接される当接部材と、スライド部材を備え、該当接部材にはバネ性を持った突起部材を備え、該スライド部材は該当接部材を垂直方向に回動自在に軸支し、該当接部材の回動位置が、該目盛部材に対し該突起部材が干渉しない位置においては、該スライド部は該目盛部材に対し上下に摺動し、該当接部材の回動位置が、該突起部材が該目盛部材を押圧する位置においては、該スライド部は該目盛部材に対し係止する事を最も主要な特徴とする。
【請求項２】
前記目盛部材のスライド機構が、突起形状あるいは溝形状であって、目盛部材の幅広の片面あるいは両面、または巾狭面の片面あるいは両面に備えたことを特徴とする請求項１に記載の身長計。
【請求項３】
前記スライド部材および当接部材の人の頭頂部に当接される部分に対し、クッション材を使用したことを特徴とする請求項１または請求項２に記載の身長計。
【考案の詳細な説明】
【技術分野】
【０００１】
本考案は、人の身長を測定する身長計に関する。
【背景技術】
【０００２】
従来、成長期にある幼児や学童を抱えた家庭では、時々身長をはかって子供の成長状態を知るようにしていた。家庭で使用する身長計の場合、目盛の入っただけの板状の物が多く、この場合本や三角定規を当てるなどで測定していたが、本や三角定規がずれて上手く測定できなかった。このため、人の頭頂部に当接される当接部材を備えた身長計もあった。
【０００３】
当接部材を備えた身長計を家庭で使用する場合、身長測定を行わないときは、当接部材の突起が邪魔にならないことが要求されている。また、当接部材は上下に自在に摺動し、任意の位置で停止することが要求されている。
【０００４】
これに対する提案として、身長計付き収納棚（実公平７−９８９号公報）がある。この提案の場合、収納棚に身長計を備えており、当接部材部を回転させ収納棚の側面に平行とすることで、当接部材の突起が邪魔にならないようにしている。
【０００５】
また提案では、目盛桿に、被検者の頭部上面に当接せしめるための頭部当接板を、該目盛桿の任意位置に停止可能に摺動自在に設けた。としているが、提案は挟み込みによる押圧での停止動作であり、挟み込み押圧が強くなれば上下の摺動が重くなり、該押圧を弱くすれば、頭部当接板を停止できなくなっていた。
【特許文献１】実公平７−９８９号公報
【考案の開示】
【考案が解決しようとする課題】
【０００６】
本考案は、上記の点に鑑みてなされたものであって、身長測定時は当接部材が軽い力で上下に摺動し、当接部材を容易に停止させ、身長測定を行わない場合は、当接部材の突起が邪魔にならないような身長計を提供することにある。
【課題を解決するための手段】
【０００７】
上記目的を達成するため本考案の身長計は、スライド機構を備えた目盛部材と、目盛部材のスライド機構に係合し上下にスライド自在に支持されるスライド部とを備えた身長計であって、該スライド部は、人の頭頂部に当接される当接部材と、スライド部材を備え、該当接部材にはバネ性を持った突起部材を備え、該スライド部材は該当接部材を垂直方向に回動自在に軸支し、該当接部材の回動位置が、該目盛部材に対し該突起部材が干渉しない位置においては、該スライド部は該目盛部材に対し上下に摺動し、該当接部材の回動位置が、該突起部材が該目盛部材を押圧する位置においては、該スライド部は該目盛部材に対し係止する事を最も主要な特徴とする。
【０００８】
また、前記目盛部材のスライド機構が、突起形状あるいは溝形状であって、目盛部材の幅広の片面あるいは両面、または巾狭面の片面あるいは両面に備えたことを特徴とする。
【０００９】
また、スライド部材前記スライド部材および当接部材の人の頭頂部に当接される部分に対し、クッション材を使用したことを特徴とする。
【考案の効果】
【００１０】
上記のように構成された身長計において、身長計の目盛表示が９０ｃｍから１８０ｃｍの場合は、目盛表示の９０ｃｍ部分が床から９０ｃｍになるように壁からぶら下げる高さに設置する。身長測定時は当接部材の回動位置が、目盛部材に対し該突起部材が干渉しない位置にする。突起部材が目盛部材に干渉しない位置にあるとき、スライド部は目盛部材に対し、容易に上下方向に摺動することができる。この状態で身長測定対象者の頭頂部に当接部材が接地するまでスライドさせる。
【００１１】
身長測定対象者の頭頂部に当接部材が接地した状態から、当接部材を回動し、突起部材が目盛部材を押圧する位置にする。この時、バネ性を持った突起部材は目盛部材を押圧し、反力にてスライド部は目盛部材に対して傾き、部材同士が突っ張る状態になり、スライド部は目盛部材に対し係止される。
【００１２】
スライド部が目盛部材に対し係止した状態で、身長測定対象者が身長計から離れても、スライド部は目盛部材に対し係止したままの状態を保ち、目盛部材に対し当接部材が定規を当てたようになる。これにより容易に身長を読み取ることができ、目盛部材に傷やしるしを残すことができる。
【００１３】
目盛部材のスライド機構を、アリ溝形状とする場合、スライド部材は、アリ溝に対応する突起を備える。目盛部材のスライド機構を円柱状の突起とする場合、スライド部材は、円柱状の切り欠き形状を備える。
【考案を実施するための最良の形態】
【００１４】
目盛部材の両面に、スライド部を上下にスライド自在に支持するスライド溝を備え、長さ１００ｃｍの目盛部材を使用し、片面で０ｃｍから９５ｃｍ程度までを測定し、もう片面で、９０ｃｍから１８５ｃｍ程度までを測定することで新生児から成人までの身長測定が可能となる。
【００１５】
さらに、スライド部材および当接部材の下面にコルク材やスポンジ係のクッション材を貼り付ける事により、乳児や幼児の身長測定の場合にも安心して使用可能となる。
【００１６】
さらに、まだ立てない新生児の身長測定の場合は、床面に目盛部材を置き、基準面部分を壁などの垂直面に当て、新生児を乗せる部分の目盛部材には蒲団または毛布などを掛け、新生児の足が垂直面に当たる位置に新生児を置くことで新生児の身長測定も可能となる。
【実施例１】
【００１７】
本考案の実施形態について詳しく説明する。本実施例で説明する形状は、これを限定する物ではない。図１は、本考案の身長計における目盛部材の斜視図である。１は目盛部材を示し、２はスライド溝、３はストッパー、４は吊り下げ用穴、５は目盛ライン、６は基準面である。図では目盛ライン５しか入っていないが、１００、１５０などの数字を記入する場合もある。本身長計の使用者は目盛ラインに合わせて吊り下げ高さを考慮し、吊り下げ用穴４を使用し壁面などに吊るして使用する。吊り下げ用穴の数、位置は限定しない。
【００１８】
図２は、スライド部材の斜視図である。１１はスライド部材を示し、１２は軸支穴、１３はスライド突起である。図中のスライド突起３は、目盛部材１のスライド溝２をスライドする形状としている。
【００１９】
図３は、当接部材の斜視図である。２１は当接部材を示し、２２は当接部、２３は軸支穴、２４は突起部材である。図中に於いて当接部材２１は、軸支部付近に対し、先の方を細くしているが、これはデザインの一例であり、動物の顔や、直方体の形状にする場合などもある。
【００２０】
図４は、スライド部の斜視図である。スライド部は、スライド部材１１の軸支穴１２と、当接部材２１の軸支穴２３に固定ダボ木を打ち込み、組みつけている。この時スライド部材と当接部材は上下２ヶ所の軸部にて垂直方向に回動自在に軸支しされている。
【００２１】
図５は、図４に対し、当接部材を９０度回動した状態を示す斜視図である。
【００２２】
図６は、目盛部材にスライド部を組み付けた状態を示す斜視図である。図中の当接部材２１の回動状態は、目盛部材１に対して寝かした状態を示している。
【００２３】
図７は、図６に対し当接部材を９０度回動した状態を示す斜視図である。図中の当接部材２１の回動状態は、目盛部材１に対して起立状態を示している。
【００２４】
また、この時該突起部材２４は目盛部材に干渉せず、身長計が吊り下げられている場合、スライド部は下方向にスライド落下することになる。スライド部がスライド落下した場合は、目盛部材１のストッパー３にてスライド部の脱落を止める構造としている。図中において、ストッパー３は、丸ダボを打ち込んだ形状図となっているが、溝形状と同じ形状のストッパーを備える場合もある。
【００２５】
図８は、図７の状態における目盛部材１とスライド部材１１と当接部材２１と突起部材２４の関係を示す断面図である。２５はダボ木を示している。図ではゴム製の突起部材２４を打ち込んだダボ木２５で押さえている状態を示しているが、ダボ木２５に対しネジ式の部材を使用する場合もある。さらにゴム製の突起部材２４は、硬度のある部材を使用し、ダボ木２５との間にコイルスプリングを備える場合もある。
【００２６】
図９は、図６の状態における目盛部材１とスライド部材１１と当接部材２１と突起部材２４の関係を示す断面図である。この時当接部材２１の突起部材２４は目盛部材１によってゴム製の突起部材２４が押されて変形した状態となっている。変形したゴム製の突起部材２４は元の状態に戻ろうとすることで、目盛部材１を押し返し、押し返す力でスライド部材１１は目盛部材１に対して傾き、スライド溝２および目盛部材の表面でこじれた状態を示している。目盛部材１に対しスライド部材１１がこじれる事により、スライド部材は目盛部材に対し係止する。
【００２７】
図９の断面図では軸支穴２３は基本的には見えないが、位置関係を示す為に記載した。図９において突起部材２４の中心線と軸支穴２３の中心線は同軸上としているが、これに規定するものではない。ただし、突起部材２４の位置を図中の右方向へずらして設けた場合、突起部材の押圧による反力は当接部材がスライド部材に対し回動する力として使われ、頭接部材の寝かした状態が起立方向へ動くことも発生し、この時スライド部の係止が解かれる場合もある。
【００２８】
突起部材２４の突起寸法は、スライド溝２とスライド突起１３ははめあいに関係し、はめあいの隙間が小さい場合、突起部材２４の突起寸法は小さくできるが、スライドが重くなる。また、はめあいの隙間が大きい場合、スライド動作は軽くなるが、目盛部材１のスライド溝２とスライド部材１１のスライド突起１３のガタが大きくなり突起部材２４の突起量を大きくする必要がある。
【００２９】
また、図３に示す当接部材においては、先端を細くしているが、直方体の形状の当接部材とし、図６で示したストッパー３を、目盛部材１のスライド溝２の上下端付近に着脱可能に配し、吊り下げ用穴も上下端付近に備える事により、目盛部材は上下反転して吊り下げることが可能となる。これにより図６では、目盛部材の右側にはみ出した当接部材の先端は、目盛部材の左側にはみ出す仕様とする事ができる。この事は使用者が本身長計を室内等に設置する場合の規制を減らすことができる。
【産業上の利用可能性】
【００３０】
本考案の身長計は、身長測定時は当接部材が軽い力で上下に摺動し、当接部材を容易に停止させ、身長測定を行わない場合は、当接部材の突起を９０度回動し寝かした状態にすることで邪魔にならない身長計を提供する。
【図面の簡単な説明】
【００３１】
【図１】本考案の身長計における目盛部材の斜視図である。
【図２】スライド部材の斜視図である
【図３】当接部材の斜視図である。
【図４】スライド部の斜視図である。
【図５】図４に対し、当接部材を９０度回動した状態を示す斜視図である。
【図６】目盛部材にスライド部を組み付けた状態を示す斜視図である。
【図７】図６に対し当接部材を９０度回動した状態を示す斜視図である
【図８】図７の状態における目盛部材１とスライド部材１１と当接部材２１と突起部材２４の関係を示す断面図である。
【図９】図６の状態における目盛部材１とスライド部材１１と当接部材２１と突起部材２４の関係を示す断面図である
【符号の説明】
【００３２】
１    目盛部材
２    スライド溝
３    ストッパー
４    吊り下げ用穴
５    目盛ライン
６    基準面
１１  スライド部材
１２  軸支穴
１３  スライド突起
２１  当接部材
２２  当接部
２３  軸支穴
２４  突起部材
２５  ダボ木
【図２】
0003143543.tif 000003
【図３】
0003143543.tif 000004
【図５】
0003143543.tif 000005
【図７】
0003143543.tif 000006
【図１】
0003143543.tif 000007
【図４】
0003143543.tif 000008
【図６】
0003143543.tif 000009
【図８】
0003143543.tif 000010
【図９】
0003143543.tif 000011